(57)【要約】【課題】小型でありながら広角端での広い画角を有し、高い光学性能を備えたズームレンズ系、撮像装置及びカメラを提供する。【解決手段】負パワーの第１レンズ群と正パワーの第２レンズ群と正パワーの第３レンズ群とからなり、ズーミングの際に第１乃至第３レンズ群を光軸に沿ってそれぞれ移動させて変倍し、各レンズ群が条件：ｎｄ≦１．６７、ｖｄ＜５９及び０．０００＜ＰｇＦ＋０．００２×ｖｄ−０．６６４（ｎｄ、ｖｄ、ＰｇＦ：レンズ素子のｄ線に対する屈折率、ｄ線に対するアッベ数、ｇ線とＦ線に対する部分分散比）を満足するレンズ素子を１枚以上有し、条件：０．３１＜Ｉｒ／√（｜ｆG1×ｆG2｜）（Ｉｒ＝ｆT×ｔａｎ（ωT）、ｆT、ωT：望遠端における全系の焦点距離、最大画角の半値、ｆG1、ｆG2：第１レンズ群、第２レンズ群の焦点距離）を満足するズームレンズ系、撮像装置及びカメラ。【選択図】図１
2012150432.tif 000002
【特許請求の範囲】
【請求項１】
少なくとも１枚のレンズ素子で構成されたレンズ群を複数有するズームレンズ系であって、
物体側から像側へと順に、
負のパワーを有する第１レンズ群と、
正のパワーを有する第２レンズ群と、
正のパワーを有する第３レンズ群とからなり、
撮影時の広角端から望遠端へのズーミングの際に、前記第１レンズ群と、前記第２レンズ群と、前記第３レンズ群とを光軸に沿ってそれぞれ移動させて変倍を行い、
前記第１レンズ群、前記第２レンズ群及び前記第３レンズ群の各レンズ群が、以下の条件（１）、（２）及び（３）を満足するレンズ素子を少なくとも１枚有し、
以下の条件（４）を満足することを特徴とする、ズームレンズ系：
ｎｄ≦１．６７  ・・・（１）
ｖｄ＜５９  ・・・（２）
０．０００＜ＰｇＦ＋０．００２×ｖｄ−０．６６４  ・・・（３）
０．３１＜Ｉｒ／√（｜ｆG1×ｆG2｜）  ・・・（４）
ここで、
ｎｄ：レンズ素子のｄ線に対する屈折率、
ｖｄ：レンズ素子のｄ線に対するアッベ数、
ＰｇＦ：レンズ素子のｇ線とＦ線に対する部分分散比、
Ｉｒ：最大像高（Ｉｒ＝ｆT×ｔａｎ（ωT））、
ｆT：望遠端における全系の焦点距離、
ωT：望遠端における最大画角の半値（°）、
ｆG1：第１レンズ群の焦点距離、
ｆG2：第２レンズ群の焦点距離
である。
【請求項２】
第１レンズ群が、パワーを有する２枚のレンズ素子からなる、請求項１に記載のズームレンズ系。
【請求項３】
第２レンズ群が、パワーを有する３枚のレンズ素子からなる、請求項１に記載のズームレンズ系。
【請求項４】
第３レンズ群が、１枚のレンズ素子からなる、請求項１に記載のズームレンズ系。
【請求項５】
第１レンズ群において最物体側に配置される第１レンズ素子が、以下の条件（５）を満足する、請求項１に記載のズームレンズ系：
ｎｄL1＜１．８０  ・・・（５）
ここで、
ｎｄL1：第１レンズ素子のｄ線に対する屈折率
である。
【請求項６】
第１レンズ群において最像側に配置される第２レンズ素子が、以下の条件（６）を満足する、請求項１に記載のズームレンズ系：
ｎｄL2＜１．８０  ・・・（６）
ここで、
ｎｄL2：第２レンズ素子のｄ線に対する屈折率
である。
【請求項７】
以下の条件（７）を満足する、請求項１に記載のズームレンズ系：
ＤG1／ｆT＜０．１９３  ・・・（７）
ここで、
ＤG1：第１レンズ群の光軸上の厚み、
ｆT：望遠端における全系の焦点距離
である。
【請求項８】
以下の条件（８）を満足する、請求項２に記載のズームレンズ系：
Ｄ12／ＤL1＞３．９  ・・・（８）
ここで、
Ｄ12：第１レンズ群において物体側に配置される第１レンズ素子と像側に配置される第２レンズ素子との間の空気間隔、
ＤL1：第１レンズ素子の光軸上の厚み
である。
【請求項９】
以下の条件（９）を満足する、請求項１に記載のズームレンズ系：
ｆG2／ｆT＜０．５  ・・・（９）
ここで、
ｆG2：第２レンズ群の焦点距離、
ｆT：望遠端における全系の焦点距離
である。
【請求項１０】
以下の条件（１０）を満足する、請求項１に記載のズームレンズ系：
ｎｄAVE＜１．７０  ・・・（１０）
ここで、
ｎｄAVE：全系のパワーを有するレンズ素子の、ｄ線に対する屈折率の平均値
である。
【請求項１１】
以下の条件（１１）を満足する、請求項１に記載のズームレンズ系：
ｎｄ1AVE＜１．７０  ・・・（１１）
ここで、
ｎｄ1AVE：第１レンズ群を構成するレンズ素子の、ｄ線に対する屈折率の平均値
である。
【請求項１２】
第２レンズ群において最像側に配置されるレンズ素子が、以下の条件（１２）を満足する、請求項１に記載のズームレンズ系：
ｎｄ23＜１．６５  ・・・（１２）
ここで、
ｎｄ23：第２レンズ群において最像側に配置されるレンズ素子の、ｄ線に対する屈折率
である。
【請求項１３】
以下の条件（１３）を満足する、請求項１に記載のズームレンズ系：
ＬW／ＬT＜１．０  ・・・（１３）
ここで
ＬW：広角端におけるレンズ全長、
ＬT：望遠端におけるレンズ全長
である。
【請求項１４】
第２レンズ群が、光軸に対して垂直方向に移動して像のぶれを光学的に補正する、請求項１に記載のズームレンズ系。
【請求項１５】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項１６】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本発明は、ズームレンズ系、撮像装置及びカメラに関する。特に本発明は、小型でありながら広角端での広い画角と高いズーミング比とを有するだけでなく、迅速なフォーカシングが可能であり、特に近接物体合焦状態においても高い光学性能を備えたズームレンズ系、該ズームレンズ系を含む撮像装置、及び該撮像装置を備えた薄型でコンパクトなカメラに関する。
【背景技術】
【０００２】
従来より、デジタルスチルカメラやデジタルビデオカメラ等の、光電変換を行う撮像素子を持つカメラ（以下、単にデジタルカメラという）に対して、コンパクト化及び高性能化の要求が大きい。
【０００３】
前記のごとくコンパクトなデジタルカメラに用いるズームレンズ系として、例えば、物体側から像側へと順に、負のパワーを有する第１レンズ群と、正のパワーを有する第２レンズ群と、正のパワーを有する第３レンズ群とが配置された、負正正の３群構成を有するズームレンズが種々提案されている。
【０００４】
特許文献１は、前記負正正の３群構成を有し、第１〜第３レンズ群各々の間の空気間隔を変化させて変倍を行い、広角端から望遠端へのズーミング時に、第１−第２レンズ群間隔を変化させて変倍を行い、第１レンズ群が２枚のレンズで構成され、第２レンズ群が物体側から順に正レンズと負レンズと正レンズとの３枚のレンズで構成され、第３レンズ群が１枚のレンズで構成されるズームレンズを開示している。
【０００５】
特許文献２及び３は、前記負正正の３群構成を有し、第１〜第３レンズ群各々の間の空気間隔を変化させて変倍を行い、広角端から望遠端へのズーミング時に、第１−第２レンズ群間隔を変化させて変倍を行い、第１レンズ群が２枚のレンズで構成され、第２レンズ群が１枚の正レンズと２枚の負レンズとで構成され、第３レンズ群が１枚のレンズで構成されるズームレンズを開示している。
【０００６】
特許文献４は、前記負正正の３群構成を有し、第１〜第３レンズ群各々の間の空気間隔を変化させて変倍を行い、第１レンズ群が２枚のレンズで構成され、第２レンズ群が物体側から順に正レンズと正レンズと負レンズとの３枚のレンズで構成され、第３レンズ群が１枚のレンズで構成されるズームレンズを開示している。
【先行技術文献】
【特許文献】
【０００７】
【特許文献１】特開２００５−２５８０６７号公報
【特許文献２】特開２００９−２５１５６８号公報
【特許文献３】特開２００９−０９２７４０号公報
【特許文献４】特開２００５−１２８１９４号公報
【発明の概要】
【発明が解決しようとする課題】
【０００８】
しかしながら、前記特許文献１、２及び４に開示のズームレンズはいずれも、レンズ全長が短いのでコンパクトタイプのデジタルカメラのさらなる薄型化が可能であるものの、変倍比が３倍程度と小さく、広角端での画角も６６°程度と小さく、近年のデジタルカメラに対する要求を満足し得るものではない。
【０００９】
また特許文献３に開示のズームレンズは、変倍比が４倍程度と大きいものの、レンズ全長が長く、また広角端での画角も６０°程度と小さく、近年のデジタルカメラに対する要求を満足し得るものではない。
【００１０】
本発明の目的は、小型でありながら広角端での広い画角を有するだけでなく、高い光学性能を備えたズームレンズ系、該ズームレンズ系を含む撮像装置、及び該撮像装置を備えた薄型でコンパクトなカメラを提供することである。
【課題を解決するための手段】
【００１１】
上記目的の１つは、以下のズームレンズ系により達成される。すなわち本発明は、
少なくとも１枚のレンズ素子で構成されたレンズ群を複数有するズームレンズ系であって、
物体側から像側へと順に、
負のパワーを有する第１レンズ群と、
正のパワーを有する第２レンズ群と、
正のパワーを有する第３レンズ群とからなり、
撮影時の広角端から望遠端へのズーミングの際に、前記第１レンズ群と、前記第２レンズ群と、前記第３レンズ群とを光軸に沿ってそれぞれ移動させて変倍を行い、
前記第１レンズ群、前記第２レンズ群及び前記第３レンズ群の各レンズ群が、以下の条件（１）、（２）及び（３）：
ｎｄ≦１．６７  ・・・（１）
ｖｄ＜５９  ・・・（２）
０．０００＜ＰｇＦ＋０．００２×ｖｄ−０．６６４  ・・・（３）
（ここで、
ｎｄ：レンズ素子のｄ線に対する屈折率、
ｖｄ：レンズ素子のｄ線に対するアッベ数、
ＰｇＦ：レンズ素子のｇ線とＦ線に対する部分分散比
である）
を満足するレンズ素子を少なくとも１枚有し、
以下の条件（４）：
０．３１＜Ｉｒ／√（｜ｆG1×ｆG2｜）  ・・・（４）
（ここで、
Ｉｒ：最大像高（Ｉｒ＝ｆT×ｔａｎ（ωT））、
ｆT：望遠端における全系の焦点距離、
ωT：望遠端における最大画角の半値（°）、
ｆG1：第１レンズ群の焦点距離、
ｆG2：第２レンズ群の焦点距離
である）
を満足する、ズームレンズ系
に関する。
【００１２】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
負のパワーを有する第１レンズ群と、
正のパワーを有する第２レンズ群と、
正のパワーを有する第３レンズ群とからなり、
撮影時の広角端から望遠端へのズーミングの際に、前記第１レンズ群と、前記第２レンズ群と、前記第３レンズ群とを光軸に沿ってそれぞれ移動させて変倍を行い、
前記第１レンズ群、前記第２レンズ群及び前記第３レンズ群の各レンズ群が、以下の条件（１）、（２）及び（３）：
ｎｄ≦１．６７  ・・・（１）
ｖｄ＜５９  ・・・（２）
０．０００＜ＰｇＦ＋０．００２×ｖｄ−０．６６４  ・・・（３）
（ここで、
ｎｄ：レンズ素子のｄ線に対する屈折率、
ｖｄ：レンズ素子のｄ線に対するアッベ数、
ＰｇＦ：レンズ素子のｇ線とＦ線に対する部分分散比
である）
を満足するレンズ素子を少なくとも１枚有し、
以下の条件（４）：
０．３１＜Ｉｒ／√（｜ｆG1×ｆG2｜）  ・・・（４）
（ここで、
Ｉｒ：最大像高（Ｉｒ＝ｆT×ｔａｎ（ωT））、
ｆT：望遠端における全系の焦点距離、
ωT：望遠端における最大画角の半値（°）、
ｆG1：第１レンズ群の焦点距離、
ｆG2：第２レンズ群の焦点距離
である）
を満足するズームレンズ系である、撮像装置
に関する。
【００１３】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有する第１レンズ群と、
正のパワーを有する第２レンズ群と、
正のパワーを有する第３レンズ群とからなり、
撮影時の広角端から望遠端へのズーミングの際に、前記第１レンズ群と、前記第２レンズ群と、前記第３レンズ群とを光軸に沿ってそれぞれ移動させて変倍を行い、
前記第１レンズ群、前記第２レンズ群及び前記第３レンズ群の各レンズ群が、以下の条件（１）、（２）及び（３）：
ｎｄ≦１．６７  ・・・（１）
ｖｄ＜５９  ・・・（２）
０．０００＜ＰｇＦ＋０．００２×ｖｄ−０．６６４  ・・・（３）
（ここで、
ｎｄ：レンズ素子のｄ線に対する屈折率、
ｖｄ：レンズ素子のｄ線に対するアッベ数、
ＰｇＦ：レンズ素子のｇ線とＦ線に対する部分分散比
である）
を満足するレンズ素子を少なくとも１枚有し、
以下の条件（４）：
０．３１＜Ｉｒ／√（｜ｆG1×ｆG2｜）  ・・・（４）
（ここで、
Ｉｒ：最大像高（Ｉｒ＝ｆT×ｔａｎ（ωT））、
ｆT：望遠端における全系の焦点距離、
ωT：望遠端における最大画角の半値（°）、
ｆG1：第１レンズ群の焦点距離、
ｆG2：第２レンズ群の焦点距離
である）
を満足するズームレンズ系である、カメラ
に関する。
【発明の効果】
【００１４】
本発明によれば、小型でありながら広角端での広い画角を有するだけでなく、高い光学性能を備えたズームレンズ系、該ズームレンズ系を含む撮像装置、及び該撮像装置を備えた薄型でコンパクトなカメラを提供することができる。
【図面の簡単な説明】
【００１５】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７（実施例７）に係るズームレンズ系の無限遠合焦状態を示すレンズ配置図
【図２０】実施例７に係るズームレンズ系の無限遠合焦状態の縦収差図
【図２１】実施例７に係るズームレンズ系の望遠端における、像ぶれ補正を行っていない基本状態及び像ぶれ補正状態での横収差図
【図２２】実施の形態８（実施例８）に係るズームレンズ系の無限遠合焦状態を示すレンズ配置図
【図２３】実施例８に係るズームレンズ系の無限遠合焦状態の縦収差図
【図２４】実施例８に係るズームレンズ系の望遠端における、像ぶれ補正を行っていない基本状態及び像ぶれ補正状態での横収差図
【図２５】実施の形態９に係るデジタルスチルカメラの概略構成図
【発明を実施するための形態】
【００１６】
（実施の形態１〜８）
図１、４、７、１０、１３、１６、１９及び２２は、各々実施の形態１〜８に係るズームレンズ系のレンズ配置図である。
【００１７】
図１、４、７、１０、１３、１６、１９及び２２は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１８】
各実施の形態に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備え、ズーミングに際して、各レンズ群の間隔、すなわち、前記第１レンズ群Ｇ１と第２レンズ群Ｇ２との間隔、及び第２レンズ群Ｇ２と第３レンズ群Ｇ３との間隔がいずれも変化するように、第１レンズ群Ｇ１、第２レンズ群Ｇ２及び第３レンズ群Ｇ３が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１９】
なお図１、４、７、１０、１３、１６、１９及び２２において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第３レンズ群Ｇ３の最像側レンズ面との間）には、撮像素子のフェースプレート等と等価な平行平板Ｐが設けられている。
【００２０】
さらに図１、４、７、１０、１３、１６、１９及び２２に示すように、第１レンズ群Ｇ１と第２レンズ群Ｇ２との間に開口絞りＡが設けられている。
【００２１】
図１に示すように、実施の形態１に係るズームレンズ系において、第１レンズ群Ｇ１は、物体側から像側へと順に、両凹形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００２２】
実施の形態１に係るズームレンズ系において、第２レンズ群Ｇ２は、物体側から像側へと順に、両凸形状の第３レンズ素子Ｌ３と、物体側に凸面を向けた正メニスカス形状の第４レンズ素子Ｌ４と、物体側に凸面を向けた負メニスカス形状の第５レンズ素子Ｌ５とからなる。これらのうち、第４レンズ素子Ｌ４と第５レンズ素子Ｌ５とは接合されている。また、第４レンズ素子Ｌ４は、その物体側面が非球面であり、第５レンズ素子Ｌ５は、その像側面が非球面である。
【００２３】
また実施の形態１に係るズームレンズ系において、第３レンズ群Ｇ３は、両凸形状の第６レンズ素子Ｌ６のみからなる。該第６レンズ素子Ｌ６は、その両面が非球面である。
【００２４】
なお、実施の形態１に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第６レンズ素子Ｌ６との間）には、平行平板Ｐが設けられている。
【００２５】
実施の形態１に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、像側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００２６】
さらに、実施の形態１に係るズームレンズ系において、無限遠合焦状態から近接物体合焦状態へのフォーカシングの際に、第３レンズ群Ｇ３は、光軸に沿って物体側へ移動する。
【００２７】
図４に示すように、実施の形態２に係るズームレンズ系において、第１レンズ群Ｇ１は、物体側から像側へと順に、両凹形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００２８】
実施の形態２に係るズームレンズ系において、第２レンズ群Ｇ２は、物体側から像側へと順に、両凸形状の第３レンズ素子Ｌ３と、物体側に凸面を向けた正メニスカス形状の第４レンズ素子Ｌ４と、物体側に凸面を向けた負メニスカス形状の第５レンズ素子Ｌ５とからなる。これらのうち、第４レンズ素子Ｌ４は、その物体側面が非球面であり、第５レンズ素子Ｌ５は、その像側面が非球面である。
【００２９】
また実施の形態２に係るズームレンズ系において、第３レンズ群Ｇ３は、両凸形状の第６レンズ素子Ｌ６のみからなる。該第６レンズ素子Ｌ６は、その両面が非球面である。
【００３０】
なお、実施の形態２に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第６レンズ素子Ｌ６との間）には、平行平板Ｐが設けられている。
【００３１】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、像側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００３２】
さらに、実施の形態２に係るズームレンズ系において、無限遠合焦状態から近接物体合焦状態へのフォーカシングの際に、第３レンズ群Ｇ３は、光軸に沿って物体側へ移動する。
【００３３】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００３４】
実施の形態３に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた正メニスカス形状の第５レンズ素子Ｌ５とからなる。これらのうち、第３レンズ素子Ｌ３と第４レンズ素子Ｌ４とは接合されている。また、第５レンズ素子Ｌ５は、その両面が非球面である。
【００３５】
また実施の形態３に係るズームレンズ系において、第３レンズ群Ｇ３は、両凸形状の第６レンズ素子Ｌ６のみからなる。該第６レンズ素子Ｌ６は、その両面が非球面である。
【００３６】
なお、実施の形態３に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第６レンズ素子Ｌ６との間）には、平行平板Ｐが設けられている。
【００３７】
実施の形態３に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、像側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００３８】
さらに、実施の形態３に係るズームレンズ系において、無限遠合焦状態から近接物体合焦状態へのフォーカシングの際に、第３レンズ群Ｇ３は、光軸に沿って物体側へ移動する。
【００３９】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００４０】
実施の形態４に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とは接合されている。また、第５レンズ素子Ｌ５は、その物体側面が非球面である。
【００４１】
また実施の形態４に係るズームレンズ系において、第３レンズ群Ｇ３は、両凸形状の第６レンズ素子Ｌ６のみからなる。該第６レンズ素子Ｌ６は、その両面が非球面である。
【００４２】
なお、実施の形態４に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第６レンズ素子Ｌ６との間）には、平行平板Ｐが設けられている。
【００４３】
実施の形態４に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、像側に凸の軌跡を描いて物体側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００４４】
さらに、実施の形態４に係るズームレンズ系において、無限遠合焦状態から近接物体合焦状態へのフォーカシングの際に、第３レンズ群Ｇ３は、光軸に沿って物体側へ移動する。
【００４５】
図１３に示すように、実施の形態５に係るズームレンズ系において、第１レンズ群Ｇ１は、物体側から像側へと順に、両凹形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００４６】
実施の形態５に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５とからなる。これらのうち、第３レンズ素子Ｌ３は、その両面が非球面であり、第５レンズ素子Ｌ５も、その両面が非球面である。
【００４７】
また実施の形態５に係るズームレンズ系において、第３レンズ群Ｇ３は、両凸形状の第６レンズ素子Ｌ６のみからなる。該第６レンズ素子Ｌ６は、その両面が非球面である。
【００４８】
なお、実施の形態５に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第６レンズ素子Ｌ６との間）には、平行平板Ｐが設けられている。
【００４９】
実施の形態５に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、像側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００５０】
さらに、実施の形態５に係るズームレンズ系において、無限遠合焦状態から近接物体合焦状態へのフォーカシングの際に、第３レンズ群Ｇ３は、光軸に沿って物体側へ移動する。
【００５１】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００５２】
実施の形態６に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とは接合されている。また、第５レンズ素子Ｌ５は、その物体側面が非球面である。
【００５３】
また実施の形態６に係るズームレンズ系において、第３レンズ群Ｇ３は、両凸形状の第６レンズ素子Ｌ６のみからなる。該第６レンズ素子Ｌ６は、その両面が非球面である。
【００５４】
なお、実施の形態６に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第６レンズ素子Ｌ６との間）には、平行平板Ｐが設けられている。
【００５５】
実施の形態６に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００５６】
さらに、実施の形態６に係るズームレンズ系において、無限遠合焦状態から近接物体合焦状態へのフォーカシングの際に、第３レンズ群Ｇ３は、光軸に沿って物体側へ移動する。
【００５７】
図１９に示すように、実施の形態７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００５８】
実施の形態７に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とは接合されている。また、第５レンズ素子Ｌ５は、その物体側面が非球面である。
【００５９】
また実施の形態７に係るズームレンズ系において、第３レンズ群Ｇ３は、両凸形状の第６レンズ素子Ｌ６のみからなる。該第６レンズ素子Ｌ６は、その両面が非球面である。
【００６０】
なお、実施の形態７に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第６レンズ素子Ｌ６との間）には、平行平板Ｐが設けられている。
【００６１】
実施の形態７に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、像側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００６２】
さらに、実施の形態７に係るズームレンズ系において、無限遠合焦状態から近接物体合焦状態へのフォーカシングの際に、第３レンズ群Ｇ３は、光軸に沿って物体側へ移動する。
【００６３】
図２２に示すように、実施の形態８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。
【００６４】
実施の形態８に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた正メニスカス形状の第５レンズ素子Ｌ５とからなる。これらのうち、第３レンズ素子Ｌ３と第４レンズ素子Ｌ４とは接合されている。また、第５レンズ素子Ｌ５は、その両面が非球面である。
【００６５】
また実施の形態８に係るズームレンズ系において、第３レンズ群Ｇ３は、両凸形状の第６レンズ素子Ｌ６のみからなる。該第６レンズ素子Ｌ６は、その両面が非球面である。
【００６６】
なお、実施の形態８に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第６レンズ素子Ｌ６との間）には、平行平板Ｐが設けられている。
【００６７】
実施の形態８に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、像側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００６８】
さらに、実施の形態８に係るズームレンズ系において、無限遠合焦状態から近接物体合焦状態へのフォーカシングの際に、第３レンズ群Ｇ３は、光軸に沿って物体側へ移動する。
【００６９】
実施の形態１〜８に係るズームレンズ系では、第１レンズ群Ｇ１が、物体側から像側へと順に、負のパワーと有するレンズ素子と、正のパワーを有し、物体側に凸面を向けたメニスカス形状のレンズ素子とで構成されているので、諸収差、特に広角端での歪曲収差を良好に補正しながらも、短いレンズ全長を実現することができる。
【００７０】
実施の形態１〜８に係るズームレンズ系では、第１レンズ群Ｇ１が、非球面を有するレンズ素子を少なくとも１枚含んでいるので、歪曲収差をさらに良好に補正することができる。
【００７１】
実施の形態１〜８に係るズームレンズ系では、第２レンズ群Ｇ２が、非球面を有するレンズ素子を少なくとも１枚含んでいるので、諸収差、特に球面収差を良好に補正することができる。また、第２レンズ群Ｇ２が、パワーを有する３枚のレンズ素子からなるので、レンズ全長が短いレンズ系となっている。
【００７２】
実施の形態１〜８に係るズームレンズ系では、第３レンズ群Ｇ３が１枚のレンズ素子で構成されているので、レンズ素子の総枚数が削減され、レンズ全長が短いレンズ系となっている。無限遠合焦状態から近接物体合焦状態へのフォーカシングの際に、開口絞りよりも像側に位置する、１枚のレンズ素子からなる第３レンズ群Ｇ３が光軸に沿って移動するので、迅速なフォーカシングが容易に可能であり、特に近接物体合焦状態においても高い光学性能を得ることができる。さらに、このフォーカシングの際に光軸に沿って移動する１枚のレンズ素子が非球面を有しているので、広角端から望遠端における軸外の像面湾曲を良好に補正することができる。
【００７３】
また実施の形態１〜８に係るズームレンズ系では、撮像時の広角端から望遠端へのズーミングの際に、第１レンズ群Ｇ１、第２レンズ群Ｇ２及び第３レンズ群Ｇ３を光軸に沿ってそれぞれ移動させてズーミングを行うが、これら第１レンズ群Ｇ１、第２レンズ群Ｇ２及び第３レンズ群Ｇ３のうちのいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正することができる。全系の振動による像点移動を補正する際に、例えば第２レンズ群Ｇ２が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００７４】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００７５】
以下、例えば実施の形態１〜８に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００７６】
例えば実施の形態１〜８に係るズームレンズ系のように、物体側から像側へと順に、負のパワーを有する第１レンズ群と、正のパワーを有する第２レンズ群と、正のパワーを有する第３レンズ群とを備え、撮影時の広角端から望遠端へのズーミングの際に、第１レンズ群と、第２レンズ群と、第３レンズ群とを光軸に沿ってそれぞれ移動させて変倍を行い、第１レンズ群、第２レンズ群及び第３レンズ群の各レンズ群が以下の条件（１）、（２）及び（３）を満足するレンズ素子を少なくとも１枚有する（以下、このレンズ構成を、実施の形態の基本構成という）ズームレンズ系は、以下の条件（４）を満足する。
ｎｄ≦１．６７  ・・・（１）
ｖｄ＜５９  ・・・（２）
０．０００＜ＰｇＦ＋０．００２×ｖｄ−０．６６４  ・・・（３）
０．３１＜Ｉｒ／√（｜ｆG1×ｆG2｜）  ・・・（４）
ここで、
ｎｄ：レンズ素子のｄ線に対する屈折率、
ｖｄ：レンズ素子のｄ線に対するアッベ数、
ＰｇＦ：レンズ素子のｇ線とＦ線に対する部分分散比、
Ｉｒ：最大像高（Ｉｒ＝ｆT×ｔａｎ（ωT））、
ｆT：望遠端における全系の焦点距離、
ωT：望遠端における最大画角の半値（°）、
ｆG1：第１レンズ群の焦点距離、
ｆG2：第２レンズ群の焦点距離
である。
【００７７】
前記条件（１）は、各レンズ群に含まれるレンズ素子のｄ線に対する屈折率に関する条件である。条件（１）を満足しないと、ズーミングに伴う像面湾曲の変動の制御が困難になる。前記条件（２）は、各レンズ群に含まれるレンズ素子のｄ線に対するアッベ数に関する条件である。条件（２）を満足しないと、ズーミングに伴う軸上色収差の変動の制御が困難になる。前記条件（３）は、各レンズ群に含まれるレンズ素子のアッベ数に応じた異常分散に関する条件である。条件（３）を満足しないと、望遠端で発生する２次スペクトルと単色色収差とのバランスの制御が困難になる。
【００７８】
前記条件（４）は、第１レンズ群の焦点距離と、第２レンズ群の焦点距離との関係を規定する条件である。条件（４）を満足しないと、第２レンズ群の焦点距離が長くなり、ズーミング時の第２レンズ群の移動量が増加してしまい、ズームレンズ系の全長が長くなる。その結果、コンパクトなレンズ鏡筒や撮像装置、カメラを提供することが困難になる。
【００７９】
なお、各レンズ群に含まれるレンズ素子が、前記条件（１）及び（２）を満足し、さらに以下の条件（３）’を満足することにより、前記効果をさらに奏功させることができる。
０．００５＜ＰｇＦ＋０．００２×ｖｄ−０．６６４  ・・・（３）’
【００８０】
また、各レンズ群に含まれるレンズ素子が前記条件（１）及び（２）と前記条件（３）又は（３）’とを満足し、ズームレンズ系がさらに以下の条件（４）’又は（４）’’を満足することにより、前記効果をさらに奏功させることができる。
０．３５＜Ｉｒ／√（｜ｆG1×ｆG2｜）  ・・・（４）’
０．３７＜Ｉｒ／√（｜ｆG1×ｆG2｜）  ・・・（４）’’
【００８１】
例えば実施の形態１〜８に係るズームレンズ系のように、基本構成を有するズームレンズ系は、第１レンズ群において最物体側に配置される第１レンズ素子が、以下の条件（５）を満足することが好ましい。
ｎｄL1＜１．８０  ・・・（５）
ここで、
ｎｄL1：第１レンズ素子のｄ線に対する屈折率
である。
【００８２】
前記条件（５）は、第１レンズ素子のｄ線に対する屈折率に関する条件である。条件（５）を満足しないと、ズーミングに伴う像面湾曲の変動の制御が困難になる。
【００８３】
例えば実施の形態１〜８に係るズームレンズ系のように、基本構成を有するズームレンズ系は、第１レンズ群において最像側に配置される第２レンズ素子が、以下の条件（６）を満足することが好ましい。
ｎｄL2＜１．８０  ・・・（６）
ここで、
ｎｄL2：第２レンズ素子のｄ線に対する屈折率
である。
【００８４】
前記条件（６）は、第２レンズ素子のｄ線に対する屈折率に関する条件である。条件（６）を満足しないと、ズーミングに伴う像面湾曲の変動の制御が困難になる。
【００８５】
なお、第２レンズ素子が、さらに以下の条件（６）’を満足することにより、前記効果をさらに奏功させることができる。
ｎｄL2＜１．７０  ・・・（６）’
【００８６】
例えば実施の形態１〜８に係るズームレンズ系のように、基本構成を有するズームレンズ系は、以下の条件（７）を満足することが好ましい。
ＤG1／ｆT＜０．１９３  ・・・（７）
ここで、
ＤG1：第１レンズ群の光軸上の厚み、
ｆT：望遠端における全系の焦点距離
である。
【００８７】
前記条件（７）は、第１レンズ群の光軸上の厚みと望遠端における全系の焦点距離との比を規定する条件である。条件（７）を満足しないと、第１レンズ群の光軸上の厚みが大きくなり、ズームレンズ系の全長が長くなる。その結果、コンパクトなレンズ鏡筒や撮像装置、カメラを提供することが困難になる。
【００８８】
例えば実施の形態１〜８に係るズームレンズ系のように、基本構成を有し、第１レンズ群がパワーを有する２枚のレンズ素子からなるズームレンズ系は、以下の条件（８）を満足することが好ましい。
Ｄ12／ＤL1＞３．９  ・・・（８）
ここで、
Ｄ12：第１レンズ群において物体側に配置される第１レンズ素子と像側に配置される第２レンズ素子との間の空気間隔、
ＤL1：第１レンズ素子の光軸上の厚み
である。
【００８９】
前記条件（８）は、第１レンズ素子と第２レンズ素子との間の空気間隔と、第１レンズ素子の光軸上の厚みとの比を規定する条件である。条件（８）を満足しないと、第１レンズ素子と第２レンズ素子との光軸上の間隔が大きくなり、ズームレンズ系の全長が長くなる。その結果、コンパクトなレンズ鏡筒や撮像装置、カメラを提供することが困難になる。
【００９０】
なお、さらに以下の条件（８）’を満足することにより、前記効果をさらに奏功させることができる。
Ｄ12／ＤL1＞４．３  ・・・（８）’
【００９１】
例えば実施の形態１〜８に係るズームレンズ系のように、基本構成を有するズームレンズ系は、以下の条件（９）を満足することが好ましい。
ｆG2／ｆT＜０．５  ・・・（９）
ここで、
ｆG2：第２レンズ群の焦点距離、
ｆT：望遠端における全系の焦点距離
である。
【００９２】
前記条件（９）は、第２レンズ群の焦点距離と望遠端における全系の焦点距離との比を規定する条件である。条件（９）を満足しないと、第２レンズ群の焦点距離が長くなり、第２レンズ群の移動量が増加してしまい、ズームレンズ系の全長が長くなる。その結果、コンパクトなレンズ鏡筒や撮像装置、カメラを提供することが困難になる。
【００９３】
例えば実施の形態１〜８に係るズームレンズ系のように、基本構成を有するズームレンズ系は、以下の条件（１０）を満足することが好ましい。
ｎｄAVE＜１．７０  ・・・（１０）
ここで、
ｎｄAVE：全系のパワーを有するレンズ素子の、ｄ線に対する屈折率の平均値
である。
【００９４】
前記条件（１０）は、全系のパワーを有するレンズ素子の、ｄ線に対する屈折率の平均値に関する条件である。条件（１０）を満足しないと、ズーミングに伴う像面湾曲の変動の制御が困難になる。
【００９５】
例えば実施の形態１〜８に係るズームレンズ系のように、基本構成を有するズームレンズ系は、以下の条件（１１）を満足することが好ましい。
ｎｄ1AVE＜１．７０  ・・・（１１）
ここで、
ｎｄ1AVE：第１レンズ群を構成するレンズ素子の、ｄ線に対する屈折率の平均値
である。
【００９６】
前記条件（１１）は、第１レンズ群を構成するレンズ素子の、ｄ線に対する屈折率の平均値に関する条件である。条件（１１）を満足しないと、ズーミングに伴う像面湾曲の変動の制御が困難になる。
【００９７】
例えば実施の形態１〜８に係るズームレンズ系のように、基本構成を有するズームレンズ系は、第２レンズ群において最像側に配置されるレンズ素子が、以下の条件（１２）を満足することが好ましい。
ｎｄ23＜１．６５  ・・・（１２）
ここで、
ｎｄ23：第２レンズ群において最像側に配置されるレンズ素子の、ｄ線に対する屈折率
である。
【００９８】
前記条件（１２）は、第２レンズ群において最像側に配置されるレンズ素子の、ｄ線に対する屈折率に関する条件である。条件（１２）を満足しないと、ズーミングに伴う像面湾曲の変動の制御が困難になる。
【００９９】
例えば実施の形態１〜８に係るズームレンズ系のように、基本構成を有するズームレンズ系は、以下の条件（１３）を満足することが好ましい。
ＬW／ＬT＜１．０  ・・・（１３）
ここで
ＬW：広角端におけるレンズ全長、
ＬT：望遠端におけるレンズ全長
である。
【０１００】
前記条件（１３）は、広角端におけるレンズ全長（広角端における、第１レンズ群中で最物体側に配置される第１レンズ素子の物体側面から像面までの距離）と望遠端におけるレンズ全長（望遠端における、第１レンズ群中で最物体側に配置される第１レンズ素子の物体側面から像面までの距離）との比を規定する条件である。条件（１７）を満足しないと、第２レンズ群の焦点距離が短くなり、ズーミングに伴う像面湾曲の補正が困難になる。
【０１０１】
なお各実施の形態に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【０１０２】
さらに各実施の形態では、像面Ｓの物体側（像面Ｓと第３レンズ群Ｇ３の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【０１０３】
（実施の形態９）
図２５は、実施の形態９に係るデジタルスチルカメラの概略構成図である。図２５において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図２５において、ズームレンズ系１は、第１レンズ群Ｇ１と、開口絞りＡと、第２レンズ群Ｇ２と、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１０４】
鏡筒は、主鏡筒５と、移動鏡筒６と、円筒カム７とで構成されている。円筒カム７を回転させると、第１レンズ群Ｇ１、開口絞りＡと第２レンズ群Ｇ２、及び第３レンズ群Ｇ３が撮像素子２を基準にした所定の位置に移動し、広角端から望遠端までのズーミングを行うことができる。第３レンズ群Ｇ３はフォーカス調整用モータにより光軸方向に移動可能である。
【０１０５】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図２５に示したデジタルスチルカメラには、実施の形態１に係るズームレンズ系の替わりに実施の形態２〜８に係るズームレンズ系のいずれかを用いてもよい。また、図２５に示したデジタルスチルカメラの光学系は、動画像を対象とするデジタルビデオカメラに用いることもできる。この場合、静止画像だけでなく、解像度の高い動画像を撮影することができる。
【０１０６】
なお、本実施の形態９に係るデジタルスチルカメラでは、ズームレンズ系１として実施の形態１〜８に係るズームレンズ系を示したが、これらのズームレンズ系は、全てのズーミング域を使用する必要はない。すなわち、所望のズーミング域に応じて、光学性能が確保されている範囲を切り出し、実施の形態１〜８で説明したズームレンズ系よりも低倍率のズームレンズ系として使用してもよい。
【０１０７】
さらに、実施の形態９では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態９において、第２レンズ群Ｇ２全体、第３レンズ群Ｇ３全体、第２レンズ群Ｇ２あるいは第３レンズ群Ｇ３の一部等のズームレンズ系を構成している一部のレンズ群を、沈胴時に光軸上から退避させる、いわゆるスライディング鏡筒にズームレンズ系を適用してもよい。
【０１０８】
また、以上説明した実施の形態１〜８に係るズームレンズ系と、ＣＣＤやＣＭＯＳ等の撮像素子とから構成される撮像装置を、スマートフォン等の携帯情報端末、監視システムにおける監視カメラ、Ｗｅｂカメラ、車載カメラ等に適用することもできる。
【０１０９】
以下、実施の形態１〜８に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数、ＰｇＦはｇ線とＦ線に対する部分分散比である。また、各数値実施例において、＊印を付した面は非球面であり、非球面形状は次式で定義している。
【数１】
2012150432.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１０】
図２、５、８、１１、１４、１７、２０及び２３は、各々実施の形態１〜８に係るズームレンズ系の縦収差図である。
【０１１１】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）、一点破線はｇ線（ｇ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１１２】
また図３、６、９、１２、１５、１８、２１及び２４は、各々実施の形態１〜８に係るズームレンズ系の望遠端における横収差図である。
【０１１３】
各横収差図において、上段３つの収差図は、望遠端における像ぶれ補正を行っていない基本状態、下段３つの収差図は、第２レンズ群Ｇ２全体を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）、一点破線はｇ線（ｇ−ｌｉｎｅ）の特性である。なお各横収差図において、メリディオナル平面を、第１レンズ群Ｇ１の光軸と第２レンズ群Ｇ２の光軸とを含む平面としている。
【０１１４】
なお、各実施例のズームレンズ系について、望遠端における、像ぶれ補正状態での第２レンズ群Ｇ２の光軸と垂直な方向への移動量は、以下に示すとおりである。
実施例１  ０．０４１ｍｍ
実施例２  ０．０４３ｍｍ
実施例３  ０．０４１ｍｍ
実施例４  ０．０４１ｍｍ
実施例５  ０．０４５ｍｍ
実施例６  ０．０４４ｍｍ
実施例７  ０．０４２ｍｍ
実施例８  ０．０４１ｍｍ
【０１１５】
撮影距離が∞で望遠端において、ズームレンズ系が０．３°だけ傾いた場合の像偏心量は、第３レンズ群Ｇ２全体が光軸と垂直な方向に上記の各値だけ平行移動するときの像偏心量に等しい。
【０１１６】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１１７】
（数値実施例１）
数値実施例１のズームレンズ系は、図１に示した実施の形態１に対応する。数値実施例１のズームレンズ系の面データを表１に、非球面データを表２に、各種データを表３に示す。
【０１１８】
表  １（面データ）
面番号         r           d           nd         vd     PgF
物面             ∞
1        -62.86440     0.30000     1.62041    60.3 
2          4.98460     1.71770 
3*        10.95050     1.40290     1.60690    27.0    0.6311 
4*        37.75960        可変
5(絞り)           ∞    -0.20000
6          5.15760     1.68840     1.49700    81.6 
7        -20.67870     0.20000 
8*         3.77220     1.05220     1.52996    55.8    0.5722 
9          7.16420     0.60000     1.60690    27.0    0.6311 
10*         2.76280        可変
11*       130.66040     1.57860     1.52996    55.8    0.5722 
12*       -11.20980        可変
13               ∞     0.78000     1.51680    64.2
14               ∞        (BF)
像面             ∞
【０１１９】
表  ２（非球面データ）
第3面
K= 0.00000E+00, A4= 1.08832E-04, A6=-2.04287E-05, A8= 9.45315E-07
A10= 2.92829E-08, A12= 1.80889E-09 
第4面
K= 0.00000E+00, A4=-3.86726E-04, A6=-4.66391E-05, A8= 2.73304E-06
A10=-4.91257E-08, A12= 1.43241E-09 
第8面
K= 0.00000E+00, A4=-9.68901E-04, A6=-2.58799E-04, A8= 5.07983E-06
A10=-9.85068E-07, A12=-6.21132E-07 
第10面
K= 0.00000E+00, A4= 7.08354E-04, A6=-4.50523E-04, A8= 4.09177E-05
A10=-2.95424E-05, A12=-9.80954E-13 
第11面
K= 0.00000E+00, A4=-2.05890E-04, A6=-2.26415E-05, A8= 1.22697E-05
A10=-9.09644E-07, A12= 2.05933E-08 
第12面
K= 0.00000E+00, A4= 5.47111E-04, A6=-1.60423E-04, A8= 2.59961E-05
A10=-1.52383E-06, A12= 3.06319E-08 
【０１２０】
表  ３（各種データ）
ズーム比     3.69189
広角      中間      望遠
焦点距離       5.2121   10.0233   19.2423
Ｆナンバー     3.10079   4.40642   6.76520
画角        37.3626   21.5327   11.4907
像高         3.4850    3.9020    3.9020
レンズ全長     28.0673   26.0330   31.0790
ＢＦ        0.44740   0.44840   0.45913
d4          11.2628    4.4076    0.5000 
d10          3.7133    9.1502   17.9895 
d12          3.5240    2.9070    3.0106 
ズームレンズ群データ
群    始面      焦点距離
1       1     -11.49762
2       5       8.84038
3      11      19.55621
【０１２１】
（数値実施例２）
数値実施例２のズームレンズ系は、図４に示した実施の形態２に対応する。数値実施例２のズームレンズ系の面データを表４に、非球面データを表５に、各種データを表６に示す。
【０１２２】
表  ４（面データ）
面番号         r           d           nd         vd     PgF
物面             ∞
1        -76.80400     0.30000     1.72916    54.7 
2          5.90290     1.75130 
3*        11.00860     1.34870     1.60690    27.0    0.6311 
4*        46.49020        可変
5(絞り)           ∞    -0.20000
6          6.16660     1.23540     1.49700    81.6 
7        -16.34170     0.20000 
8*         4.19530     1.15330     1.52996    55.8    0.5722 
9         10.51890     0.48260 
10          8.98590     0.60000     1.60690    27.0    0.6311 
11*         2.84850        可変
12*       128.55910     1.65900     1.52996    55.8    0.5722 
13*       -10.75400        可変
14               ∞     0.78000     1.51680    64.2
15               ∞        (BF)
像面             ∞
【０１２３】
表  ５（非球面データ）
第3面
K= 0.00000E+00, A4= 7.82205E-06, A6=-4.30680E-05, A8= 3.44240E-06
A10=-1.52562E-07, A12= 5.29615E-09 
第4面
K= 0.00000E+00, A4=-2.81956E-04, A6=-6.23817E-05, A8= 6.01554E-06
A10=-3.22920E-07, A12= 9.29765E-09 
第8面
K= 0.00000E+00, A4=-8.10572E-04, A6=-1.14167E-04, A8=-7.69913E-06
A10= 3.43056E-06, A12=-6.21132E-07 
第11面
K= 0.00000E+00, A4= 3.16466E-05, A6=-1.69018E-04, A8=-2.59097E-05
A10=-9.78559E-06, A12=-9.81571E-13 
第12面
K= 0.00000E+00, A4= 1.56782E-04, A6=-6.22995E-05, A8= 1.66044E-05
A10=-1.16489E-06, A12= 2.54479E-08 
第13面
K= 0.00000E+00, A4= 1.11937E-03, A6=-2.38359E-04, A8= 3.37368E-05
A10=-1.92341E-06, A12= 3.76901E-08 
【０１２４】
表  ６（各種データ）
ズーム比     3.65866
広角      中間      望遠
焦点距離       5.3020   10.2004   19.3981
Ｆナンバー     3.10958   4.39106   6.69321
画角        36.8818   21.1163   11.4396
像高         3.4850    3.9020    3.9020
レンズ全長     29.0366   26.2465   30.9361
ＢＦ        0.40676   0.37198   0.30618
d4          12.3513    4.8337    0.6911 
d11          3.6513    8.7411   17.3168 
d13          3.3169    2.9894    3.3117 
ズームレンズ群データ
群    始面      焦点距離
1       1     -12.19878
2       5       9.08045
3      12      18.80325
【０１２５】
（数値実施例３）
数値実施例３のズームレンズ系は、図７に示した実施の形態３に対応する。数値実施例３のズームレンズ系の面データを表７に、非球面データを表８に、各種データを表９に示す。
【０１２６】
表  ７（面データ）
面番号         r           d           nd         vd     PgF
物面             ∞
1       2000.00000     0.30000     1.72916    54.7 
2          5.15210     1.34220 
3*         8.04450     1.50380     1.60690    27.0    0.6311 
4*        21.96640        可変
5(絞り)           ∞    -0.20000
6          4.91620     2.31910     1.88300    40.8 
7         -6.91570     0.53910     1.78472    25.7 
8          6.15140     0.30000 
9*         3.82240     0.80000     1.54310    56.0    0.5670 
10*         3.95880        可変
11*       488.63110     1.57550     1.54310    56.0    0.5670 
12*       -10.52960        可変
13               ∞     0.78000     1.51680    64.2
14               ∞        (BF)
像面             ∞
【０１２７】
表  ８（非球面データ）
第3面
K= 0.00000E+00, A4= 8.48496E-05, A6=-1.14574E-05, A8=-1.84821E-06
A10= 5.19667E-07, A12=-6.35477E-08, A14= 3.64172E-09, A16=-7.48738E-11 
第4面
K= 0.00000E+00, A4=-3.21723E-04, A6=-4.01299E-05, A8= 2.07787E-06
A10=-1.73797E-07, A12= 6.49639E-09, A14= 0.00000E+00, A16= 0.00000E+00 
第9面
K= 0.00000E+00, A4= 1.06140E-04, A6= 3.46610E-04, A8=-4.41339E-04
A10= 7.12444E-05, A12=-6.09830E-06, A14= 0.00000E+00, A16= 0.00000E+00 
第10面
K= 0.00000E+00, A4= 6.70070E-03, A6= 4.67279E-04, A8=-2.98067E-04
A10= 1.26587E-05, A12= 0.00000E+00, A14= 0.00000E+00, A16= 0.00000E+00 
第11面
K= 0.00000E+00, A4= 6.71872E-06, A6=-3.79147E-05, A8= 8.40899E-06
A10=-2.86815E-07, A12= 2.78882E-09, A14= 0.00000E+00, A16= 0.00000E+00 
第12面
K= 0.00000E+00, A4= 4.44173E-04, A6=-6.87996E-05, A8= 7.72775E-06
A10=-7.73645E-08, A12=-3.45164E-09, A14= 0.00000E+00, A16= 0.00000E+00 
【０１２８】
表  ９（各種データ）
ズーム比     3.72821
広角      中間      望遠
焦点距離       5.2000   10.0667   19.3865
Ｆナンバー     3.16200   4.50406   6.82842
画角        37.3921   21.4317   11.3976
像高         3.4850    3.9020    3.9020
レンズ全長     28.0482   25.7069   30.2730
ＢＦ        0.42818   0.42324   0.45041
d4          11.4974    4.6086    0.5000 
d10          3.6804    9.0366   17.1730 
d12          3.1825    2.3788    2.8899 
ズームレンズ群データ
群    始面      焦点距離
1       1     -11.68049
2       5       8.61553
3      11      19.00008
【０１２９】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１３０】
表  １０（面データ）
面番号         r           d           nd         vd     PgF
物面             ∞
1         44.30370     0.30000     1.72916    54.7 
2          5.00820     1.63970 
3*         7.82930     1.25350     1.63550    23.9    0.6316 
4*        14.21390        可変
5(絞り)           ∞    -0.20000
6          4.46250     1.61490     1.72916    54.7 
7         -6.70550     0.59120     1.62004    36.3 
8         23.45560     0.41720 
9*         7.47050     0.99250     1.63550    23.9    0.6316 
10          3.74750        可変
11*        53.14850     1.54760     1.54310    56.0    0.5670 
12*       -13.51210        可変
13               ∞     0.78000     1.51680    64.2
14               ∞        (BF)
像面             ∞
【０１３１】
表  １１（非球面データ）
第3面
K= 0.00000E+00, A4=-3.89766E-04, A6= 3.34058E-05, A8=-1.39655E-05
A10= 2.10384E-06, A12=-1.78017E-07, A14= 7.91973E-09, A16=-1.39541E-10 
第4面
K= 0.00000E+00, A4=-7.36650E-04, A6=-1.39273E-05, A8=-1.44311E-06
A10= 5.25714E-08, A12= 8.19929E-10, A14= 0.00000E+00, A16= 0.00000E+00 
第9面
K= 0.00000E+00, A4=-3.91363E-03, A6= 7.59386E-05, A8=-1.61445E-04
A10= 2.43895E-05, A12=-2.65327E-07, A14= 0.00000E+00, A16= 0.00000E+00 
第11面
K= 0.00000E+00, A4= 1.92164E-04, A6=-6.62355E-05, A8= 9.26450E-06
A10=-5.49878E-07, A12= 1.06738E-08, A14= 0.00000E+00, A16= 0.00000E+00 
第12面
K= 0.00000E+00, A4= 6.70155E-04, A6=-1.53888E-04, A8= 1.74044E-05
A10=-9.08975E-07, A12= 1.66473E-08, A14= 0.00000E+00, A16= 0.00000E+00 
【０１３２】
表  １２（各種データ）
ズーム比     3.68603
広角      中間      望遠
焦点距離       5.2093   10.0672   19.2016
Ｆナンバー     3.17326   4.44961   6.76467
画角        37.3248   21.5150   11.5732
像高         3.4850    3.9020    3.9020
レンズ全長     27.5438   24.8332   29.3552
ＢＦ        0.42391   0.39999   0.32499
d4          11.4897    4.3515    0.5000 
d10          3.7340    8.4185   16.4571 
d12          2.9596    2.7266    3.1365 
ズームレンズ群データ
群    始面      焦点距離
1       1     -11.66606
2       5       8.45677
3      11      19.99991
【０１３３】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１３４】
表  １３（面データ）
面番号         r           d           nd         vd     PgF
物面             ∞
1       -231.56110     0.30000     1.72916    54.7 
2          6.02710     1.80390 
3*        11.96030     1.36100     1.60690    27.0    0.6311 
4*        49.49900        可変
5(絞り)           ∞    -0.20000
6*         6.00000     0.96890     1.52996    55.8    0.5722 
7*        56.53100     0.30000 
8          5.48050     1.10320     1.72916    54.7 
9       -139.95380     0.50870 
10*       -25.69090     0.60000     1.60690    27.0    0.6311 
11*         4.35390        可変
12*        42.98600     1.64730     1.52996    55.8    0.5722 
13*       -14.15400        可変
14               ∞     0.78000     1.51680    64.2
15               ∞        (BF)
像面             ∞
【０１３５】
表  １４（非球面データ）
第3面
K= 0.00000E+00, A4=-1.13001E-04, A6=-2.06073E-05, A8= 2.51378E-07
A10= 9.96856E-08, A12=-2.13673E-09 
第4面
K= 0.00000E+00, A4=-4.17298E-04, A6=-3.98991E-05, A8= 3.10530E-06
A10=-7.21767E-08, A12= 1.12822E-09 
第6面
K= 0.00000E+00, A4=-8.39463E-04, A6=-2.49947E-04, A8= 4.03088E-05
A10= 1.72172E-06, A12=-8.37000E-07 
第7面
K= 0.00000E+00, A4=-8.73551E-04, A6=-3.28184E-04, A8= 1.13161E-04
A10=-1.30775E-05, A12= 1.96000E-07 
第10面
K= 0.00000E+00, A4= 7.52171E-03, A6=-2.00045E-03, A8= 4.66127E-04
A10=-5.41597E-05, A12=-4.70996E-13 
第11面
K= 0.00000E+00, A4= 1.22033E-02, A6=-1.96008E-03, A8= 5.33271E-04
A10=-7.13983E-05, A12=-1.12001E-13 
第12面
K= 0.00000E+00, A4=-4.35499E-04, A6=-4.70798E-05, A8= 1.31793E-05
A10=-9.41384E-07, A12= 2.09468E-08 
第13面
K= 0.00000E+00, A4= 2.65568E-04, A6=-1.99964E-04, A8= 2.74468E-05
A10=-1.52518E-06, A12= 2.95150E-08 
【０１３６】
表  １５（各種データ）
ズーム比     3.70952
広角      中間      望遠
焦点距離       5.4011   10.4137   20.0353
Ｆナンバー     3.14508   4.43124   6.78228
画角        36.3075   20.9148   11.0948
像高         3.4850    3.9020    3.9020
レンズ全長     30.0241   27.1307   31.9133
ＢＦ        0.39417   0.36037   0.28344
d4          12.8451    4.9201    0.5000 
d11          3.7057    9.3189   18.5889 
d13          3.9061    3.3583    3.3680 
ズームレンズ群データ
群    始面      焦点距離
1       1     -12.86748
2       5       9.61676
3      12      20.29465
【０１３７】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１３８】
表  １６（面データ）
面番号         r           d           nd         vd     PgF
物面             ∞
1         83.05690     0.30000     1.72916    54.7 
2          5.54580     1.85360 
3*        10.20110     1.39640     1.63550    23.9    0.6316 
4*        23.70920        可変
5(絞り)           ∞    -0.20000
6          4.75540     1.51080     1.72916    54.7 
7         -6.92690     0.56240     1.62004    36.3 
8         28.51810     0.39590 
9*         7.64550     1.13760     1.63550    23.9    0.6316 
10          3.76860        可変
11*        49.42610     1.63310     1.54310    56.0    0.5670 
12*       -12.07280        可変
13               ∞     0.78000     1.51680    64.2
14               ∞        (BF)
像面             ∞
【０１３９】
表  １７（非球面データ）
第3面
K= 0.00000E+00, A4=-2.03919E-04, A6= 2.29290E-05, A8=-2.16799E-06
A10= 5.29717E-08, A12=-3.50930E-09, A14= 4.91636E-10, A16=-1.40233E-11 
第4面
K= 0.00000E+00, A4=-6.68826E-04, A6= 6.09261E-05, A8=-8.82203E-06
A10= 4.78350E-07, A12=-8.92087E-09, A14= 0.00000E+00, A16= 0.00000E+00 
第9面
K= 0.00000E+00, A4=-2.92447E-03, A6=-2.99795E-05, A8=-7.63346E-05
A10= 2.54472E-05, A12=-3.98085E-06, A14= 0.00000E+00, A16= 0.00000E+00 
第11面
K= 0.00000E+00, A4= 2.86077E-04, A6=-1.51602E-04, A8= 2.29024E-05
A10=-1.37883E-06, A12= 2.86256E-08, A14= 0.00000E+00, A16= 0.00000E+00 
第12面
K= 0.00000E+00, A4= 1.29488E-03, A6=-3.16584E-04, A8= 3.82581E-05
A10=-2.02056E-06, A12= 3.82556E-08, A14= 0.00000E+00, A16= 0.00000E+00 
【０１４０】
表  １８（各種データ）
ズーム比     3.72205
広角      中間      望遠
焦点距離       5.0059    9.5987   18.6322
Ｆナンバー     3.22310   4.41323   6.82326
画角        38.4368   22.1917   11.6630
像高         3.4850    3.9020    3.9020
レンズ全長     29.6896   25.7773   30.0261
ＢＦ        0.41980   0.41417   0.40630
d4          13.0154    4.7237    0.5000 
d10          3.7214    8.0328   16.8399 
d12          3.1633    3.2368    2.9101 
ズームレンズ群データ
群    始面      焦点距離
1       1     -12.49093
2       5       9.07493
3      11      18.03413
【０１４１】
（数値実施例７）
数値実施例７のズームレンズ系は、図１９に示した実施の形態７に対応する。数値実施例７のズームレンズ系の面データを表１９に、非球面データを表２０に、各種データを表２１に示す。
【０１４２】
表  １９（面データ）
面番号         r           d           nd         vd     PgF
物面             ∞
1        114.71610     0.30000     1.72916    54.7 
2          5.09690     1.37160 
3*         7.31600     1.48110     1.60690    27.0    0.6311 
4*        16.08140        可変
5(絞り)           ∞    -0.20000
6          4.19540     1.69050     1.72916    54.7 
7         -5.99660     0.40000     1.62004    36.3 
8         13.59980     0.48970 
9*         7.36090     0.95770     1.60690    27.0    0.6311 
10          3.77450        可変
11*       147.89880     1.68640     1.52996    55.8    0.5722 
12*       -10.15670        可変
13               ∞     0.78000     1.51680    64.2
14               ∞        (BF)
像面             ∞
【０１４３】
表  ２０（非球面データ）
第3面
K= 0.00000E+00, A4=-1.42338E-04, A6= 4.38191E-05, A8=-9.30563E-06
A10= 7.86242E-07, A12=-4.15479E-08, A14= 8.76075E-10, A16= 6.21410E-12 
第4面
K= 0.00000E+00, A4=-4.61356E-04, A6= 4.81903E-06, A8=-3.02859E-06
A10=-3.22742E-08, A12= 6.22407E-09, A14= 0.00000E+00, A16= 0.00000E+00 
第9面
K= 0.00000E+00, A4=-4.86221E-03, A6= 7.27221E-05, A8=-2.92714E-04
A10= 7.11677E-05, A12=-6.09830E-06, A14= 0.00000E+00, A16= 0.00000E+00 
第11面
K= 0.00000E+00, A4= 6.20292E-05, A6= 4.59789E-05, A8=-3.57498E-07
A10=-1.90404E-07, A12= 6.34574E-09, A14= 0.00000E+00, A16= 0.00000E+00 
第12面
K= 0.00000E+00, A4= 7.00267E-04, A6=-3.95506E-05, A8= 8.15756E-06
A10=-6.00854E-07, A12= 1.35389E-08, A14= 0.00000E+00, A16= 0.00000E+00 
【０１４４】
表  ２１（各種データ）
ズーム比     3.70665
広角      中間      望遠
焦点距離       5.1986    9.9948   19.2696
Ｆナンバー     3.16472   4.41652   6.78785
画角        37.4101   21.5821   11.5618
像高         3.4850    3.9020    3.9020
レンズ全長     27.4934   24.6785   29.1860
ＢＦ        0.41253   0.39187   0.37334
d4          11.5554    4.3796    0.5000 
d10          3.6829    8.2387   16.5344 
d12          2.8857    2.7113    2.8213 
ズームレンズ群データ
群    始面      焦点距離
1       1     -11.87111
2       5       8.47710
3      11      18.00000
【０１４５】
（数値実施例８）
数値実施例８のズームレンズ系は、図２２に示した実施の形態８に対応する。数値実施例８のズームレンズ系の面データを表２２に、非球面データを表２３に、各種データを表２４に示す。
【０１４６】
表  ２２（面データ）
面番号         r           d           nd         vd     PgF
物面             ∞
1       2000.00000     0.30000     1.72916    54.7 
2          6.04250     1.20000 
3*         7.58620     1.62670     1.60690    27.0    0.6311 
4*        17.43900        可変
5(絞り)           ∞    -0.20000
6          5.13330     2.11870     1.88300    40.8 
7         -9.22550     0.89610     1.78472    25.7 
8          5.86140     0.37520 
9*         3.90680     0.80000     1.52996    55.8    0.5722 
10*         4.08090        可変
11*       482.86470     1.67330     1.52996    55.8    0.5722 
12*       -10.27130        可変
13               ∞     0.78000     1.51680    64.2
14               ∞        (BF)
像面             ∞
【０１４７】
表  ２３（非球面データ）
第3面
K= 0.00000E+00, A4=-2.38400E-04, A6= 1.71303E-05, A8=-5.54893E-06
A10= 7.87052E-07, A12=-6.73767E-08, A14= 2.91880E-09, A16=-4.91493E-11 
第4面
K= 0.00000E+00, A4=-3.90787E-04, A6=-7.67537E-06, A8=-8.52023E-07
A10= 2.35459E-08, A12= 4.02422E-11, A14= 0.00000E+00, A16= 0.00000E+00 
第9面
K= 0.00000E+00, A4= 6.69846E-04, A6=-6.79852E-04, A8=-8.09526E-05
A10= 3.38044E-05, A12=-6.09830E-06, A14= 0.00000E+00, A16= 0.00000E+00 
第10面
K= 0.00000E+00, A4= 6.26912E-03, A6=-8.32267E-04, A8= 8.91364E-05
A10=-2.13792E-05, A12= 0.00000E+00, A14= 0.00000E+00, A16= 0.00000E+00 
第11面
K= 0.00000E+00, A4=-7.32515E-05, A6= 2.79056E-05, A8= 3.38574E-06
A10=-2.12140E-07, A12= 3.63755E-09, A14= 0.00000E+00, A16= 0.00000E+00 
第12面
K= 0.00000E+00, A4= 2.92013E-04, A6=-1.28032E-05, A8= 6.67886E-06
A10=-3.12278E-07, A12= 4.49423E-09, A14= 0.00000E+00, A16= 0.00000E+00 
【０１４８】
表  ２４（各種データ）
ズーム比     3.71456
広角      中間      望遠
焦点距離       6.0016   11.4802   22.2933
Ｆナンバー     3.10505   4.45564   6.80298
画角        32.5816   19.0026   10.0426
像高         3.4850    3.9020    3.9020
レンズ全長     31.0299   28.5491   33.0780
ＢＦ        0.41004   0.37908   0.43904
d4          13.3496    5.7712    0.8687 
d10          3.6863   10.0043   19.2427 
d12          4.0140    2.8245    2.9576 
ズームレンズ群データ
群    始面      焦点距離
1       1     -14.36958
2       5       9.92128
3      11      18.99992
【０１４９】
以下の表２５に、各数値実施例のズームレンズ系における各条件の対応値を示す。
【０１５０】
表  ２５（条件の対応値）
【表１】
2012150432.tif 000004
【産業上の利用可能性】
【０１５１】
本発明に係るズームレンズ系は、デジタルカメラ、スマートフォン等の携帯情報端末、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１５２】
Ｇ１    第１レンズ群
Ｇ２    第２レンズ群
Ｇ３    第３レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
2012150432.tif 000005
【図２】
2012150432.tif 000006
【図３】
2012150432.tif 000007
【図４】
2012150432.tif 000008
【図５】
2012150432.tif 000009
【図６】
2012150432.tif 000010
【図７】
2012150432.tif 000011
【図８】
2012150432.tif 000012
【図９】
2012150432.tif 000013
【図１０】
2012150432.tif 000014
【図１１】
2012150432.tif 000015
【図１２】
2012150432.tif 000016
【図１３】
2012150432.tif 000017
【図１４】
2012150432.tif 000018
【図１５】
2012150432.tif 000019
【図１６】
2012150432.tif 000020
【図１７】
2012150432.tif 000021
【図１８】
2012150432.tif 000022
【図１９】
2012150432.tif 000023
【図２０】
2012150432.tif 000024
【図２１】
2012150432.tif 000025
【図２２】
2012150432.tif 000026
【図２３】
2012150432.tif 000027
【図２４】
2012150432.tif 000028
【図２５】
2012150432.tif 000029